(57)【特許請求の範囲】
【請求項１】
複数の画像形成装置と、
前記複数の画像形成装置とネットワークを介して接続されたサーバ装置と
を具備する情報処理システムであって、
各前記画像形成装置は、
第１制御部と、
パネル画像を表示する第１表示部とを有し、
前記サーバ装置は、
第２制御部と、
各前記画像形成装置の保守管理のため、各前記画像形成装置の前記第１表示部に現在表示されている前記パネル画像そのものを遠隔的に表示し、各前記画像形成装置の前記第１表示部に表示されている前記パネル画像が変遷する度に、前記変遷後の新たなパネル画像をリアルタイムで表示する第２表示部とを有し、
前記サーバ装置の前記第２制御部は、
前記複数の画像形成装置のリストを前記第２表示部に表示し、
前記リストから選択された、異常が発生した１つの前記画像形成装置に、前記パネル画像に含まれるテンプレート画像に対応するテンプレートコードと、前記パネル画像に含まれる文字データとの取得要求を送信し、
選択された前記画像形成装置の前記第１制御部は、
前記パネル画像に含まれるテンプレート画像に対応するテンプレートコードと、前記パネル画像に含まれる文字データとを、前記サーバ装置に供給し、
前記サーバ装置の前記第２制御部は、
前記画像形成装置から、前記テンプレートコードおよび前記文字データを取得し、
テンプレート画像を記憶する記憶部から、前記テンプレートコードに対応する前記テンプレート画像を読み出し、前記読み出したテンプレート画像と、前記画像形成装置から取得した前記文字データとを組み合わせて、前記画像形成装置の前記第１表示部に現在表示されている前記パネル画像と同一である、前記パネル画像を生成し、
前記テンプレート画像を前記記憶部から読み出すことができなかった場合、前記テンプレートコードを含むテンプレート画像取得要求を前記画像形成装置に供給し、前記テンプレートコードに対応するテンプレート画像を前記画像形成装置から取得し、前記画像形成装置から取得した前記テンプレート画像と、前記画像形成装置から取得した前記文字データとを組み合わせて、前記画像形成装置の前記第１表示部に現在表示されている前記パネル画像と同一である、前記パネル画像を生成し、
生成した前記パネル画像を前記第２表示部に表示する
ことを特徴とする情報処理システム。
【発明の詳細な説明】
【技術分野】
【０００１】
本発明は、画像形成装置及びサーバ装置を有する情報処理システムに関する。本発明は、さらに、この情報処理システムに含まれる画像形成装置及びサーバ装置に関する。
【背景技術】
【０００２】
画像形成装置の状態を監視し、異常を検出した際に、この画像形成装置の管理者に異常を通知するための監視装置が知られている（例えば、特許文献１の請求項１参照）。特許文献１によれば、監視装置は、メッセージテンプレートに機種名等の文字列を埋め込むことによってメッセージを生成する（同００３４段落）。監視装置は、生成したメッセージを管理者の利用端末に送信する（同００３７段落）。利用端末は、文字列で構成されたメッセージを表示する。これにより、管理者に異常が通知される。
【先行技術文献】
【特許文献】
【０００３】
【特許文献１】特開２００２−２９０５９５号公報
【発明の概要】
【発明が解決しようとする課題】
【０００４】
近年、ＭＦＰ（Multifunction peripheral）等の画像形成装置は、高機能化している。画像形成装置が高機能化するにつれて画像形成装置に生じる異常も多様化する。その結果、メッセージテンプレートに基づき生成されたメッセージのみを用いて画像形成装置の異常を管理者に正確に通知するのには限界がある。
【０００５】
メッセージテンプレートに基づき生成されたメッセージを用いた異常通知方法に代えて、監視装置が、画像形成装置の表示部に表示されたパネル画像そのものを画像形成装置から取得し、取得したパネル画像を管理者に対して表示することも考えられる。しかしながら、この方法だと、管理者は画像形成装置の異常を直感的・視覚的に把握しやすいという利点がある反面、パネル画像のデータサイズが大きいため、ネットワーク通信に負荷が掛かるという問題がある。
【０００６】
以上のような事情に鑑み、本技術の目的は、管理者が画像形成装置の状態を直感的・視覚的に把握しやすく、且つ、ネットワーク通信に掛かる負荷を抑えることが可能なサーバ装置、画像形成装置及び情報処理システムを提供することにある。
【課題を解決するための手段】
【０００７】
上記目的を達成するため、本技術の一形態に係るサーバ装置は、
パネル画像を表示するよう構成された表示部を有する画像形成装置から、前記パネル画像に含まれるテンプレート画像に対応するテンプレートコードと、前記パネル画像に含まれる文字データとを取得するよう構成されたテンプレートコード／文字データ取得部と、
テンプレート画像を記憶するよう構成された記憶部から、前記テンプレートコードに対応する前記テンプレート画像を読み出し、
前記読み出したテンプレート画像と、前記画像形成装置から取得した前記文字データとを組み合わせて、前記パネル画像を生成する
よう構成されたパネル画像生成部
とを具備する。
【０００８】
上記目的を達成するため、本技術の一形態に係る画像形成装置は、
パネル画像を表示するよう構成された表示部と、
前記パネル画像に含まれるテンプレート画像に対応するテンプレートコードと、前記パネル画像に含まれる文字データとを、サーバ装置に供給するよう構成されたテンプレートコード／文字データ供給部
とを具備する。
【０００９】
上記目的を達成するため、本技術の一形態に係る情報処理システムは、
画像形成装置と、サーバ装置とを具備する情報処理システムであって、
前記画像形成装置は、
パネル画像を表示するよう構成された表示部と、
前記パネル画像に含まれるテンプレート画像に対応するテンプレートコードと、前記パネル画像に含まれる文字データとを、サーバ装置に供給するよう構成されたテンプレートコード／文字データ供給部とを有し、
前記サーバ装置は、
前記画像形成装置から、前記パネル画像に含まれるテンプレート画像に対応するテンプレートコードと、前記パネル画像に含まれる文字データとを取得するよう構成されたテンプレートコード／文字データ取得部と、
テンプレート画像を記憶するよう構成された記憶部から、前記テンプレートコードに対応する前記テンプレート画像を読み出し、
前記読み出したテンプレート画像と、前記画像形成装置から取得した前記文字データとを組み合わせて、前記パネル画像を生成する
よう構成されたパネル画像生成部とを有する
【００１０】
これにより、第１に、サーバ装置は、画像形成装置の表示部に表示されたパネル画像そのものを生成する。このため、メッセージで通知する方法に比べて、管理者は、画像形成装置の状況をより直感的・視覚的に把握することができる。
【００１１】
第２に、画像形成装置は、テンプレートコード及び文字データ（データサイズが小さい）を送信する。このため、ネットワーク通信に掛かる負荷が飛躍的に減少する。とりわけ、画像形成装置のパネル画像が変遷する度にサーバ装置がパネル画像を取得する必要がある場合にも、画像形成装置は、パネル画像が変遷する度に、テンプレートコード及び文字データを送信するだけでよい。このため、送信データサイズが抑えられる。
【００１２】
第３に、画像形成装置の記憶部の容量には限界があるが、サーバ装置がデータサイズの大きいテンプレート画像を記憶するため、画像形成装置の記憶容量の問題がなくなる。
【００１３】
第４に、サーバ装置は、テンプレート画像と文字データとを組み合わせてパネル画像を生成する。サーバ装置は、画像形成装置が世界中のどの言語環境で使用されても、一律なテンプレート画像にその国の言語の文字データを埋め込めば、言語的に適切なパネル画像を生成することができる。
【発明の効果】
【００１４】
本技術によれば、管理者が画像形成装置の状態を直感的・視覚的に把握しやすく、且つ、ネットワーク通信に掛かる負荷を抑えることが可能なサーバ装置、画像形成装置及び情報処理システムが提供される。
なお、ここに記載された効果は必ずしも限定されるものではなく、本開示中に記載されたいずれかの効果であってもよい。
【図面の簡単な説明】
【００１５】
【図１】本技術の一実施形態に係る情報処理システムを示す図である。
【図２】サーバ装置のハードウェア構成を示すブロック図である。
【図３】画像形成装置のハードウェア構成を示すブロック図である。
【図４】画像形成装置及びサーバ装置の機能的構成を示すブロック図である。
【図５】情報処理システムの動作を示すシーケンス図である。
【図６】サーバ装置の動作を示すフローチャートである。
【図７】画像形成装置の動作を示すフローチャートである。
【発明を実施するための形態】
【００１６】
以下、図面を参照しながら、本発明の実施形態を説明する。
【００１７】
（１．情報処理システム）
図１は、本技術の一実施形態に係る情報処理システムを示す図である。
情報処理システム１は、サーバ装置１０と、１以上の画像形成装置２０とを有する。
【００１８】
サーバ装置１０は、インターネット等のネットワークＮを通じて、画像形成装置２０と双方向に通信して情報を授受する。サーバ装置１０は、典型的にはパーソナルコンピュータであり、画像形成装置２０の管理者により使用される。「管理者」は、典型的には、画像形成装置２０の保守管理業務を行うサービスマンであり、以下単に「サービスマン」と称する。
【００１９】
画像形成装置２０は、典型的にはＭＦＰ（Multifunction peripheral）である。画像形成装置２０は、エンドユーザ（以下単に「ユーザ」と称することがある。）により使用される。
【００２０】
情報処理システム１の典型的な使用状況としては、以下が想定される。エンドユーザ（以下単に「ユーザ」と称することがある。）が画像形成装置２０を使用している際に画像形成装置２０に異常が発生したとする。このとき、ユーザは、サービスマンに例えば電話（図示せず）を掛けて指示を仰ぐ。サービスマンの使用するサーバ装置１０に接続された表示部には、画像形成装置２０の表示部に現在表示されている画像（パネル画像）そのものが遠隔的に表示される。保守管理業務においては、サービスマンが、ユーザの使用する画像形成装置２０の状況をリアルタイムに把握する必要がある。このため、画像形成装置２０のパネル画像が変遷する度に、サーバ装置１０に接続された表示部に新たなパネル画像がリアルタイムで表示される。サービスマンは、サーバ装置１０に接続された表示部に表示された画像（パネル画像）を参照しながら、例えば電話（図示せず）で、ユーザに、画像形成装置２０が異常から復帰するための作業指示を出す。
【００２１】
（２．サーバ装置のハードウェア構成）
図２は、サーバ装置のハードウェア構成を示すブロック図である。
サーバ装置１０は、制御部１１と、制御部１１とバス１７を介して接続された表示部１２、通信制御部１３、操作部１５及び記憶部１６とを有する。
【００２２】
制御部１１は、ＣＰＵ（Central Processing Unit）等を含む。制御部１１は、ＲＡＭ（Random Access Memory）にロードされたプログラムを実行する。
【００２３】
記憶部１６は、ＲＯＭ（Read Only Memory）と、ＲＡＭと、ＨＤＤ（Hard Disk Drive）などの大容量の記憶装置とを含む。ＲＯＭは、制御部１１が実行するプログラムやデータなどを固定的に格納する。ＲＡＭには、ＲＯＭに格納されたプログラムがロードされる。大容量の記憶装置は、データベースが格納される。
【００２４】
表示部１２は、ＬＣＤ（Liquid Crystal Display）や有機ＥＬ（Electroluminescence）ディスプレイ等を含む。表示部１２は、制御部１１から受け取った情報に基づいて演算処理を行い、生成した画像信号を画面に表示する。典型的には、表示部１２は外付けの表示装置である。
【００２５】
操作部１５は、キーボード、マウス及び各種スイッチ等を含む。操作部１５は、ユーザからの操作を検出して制御部１１に出力する。
【００２６】
通信制御部１３は、ネットワークＮに接続するためのインタフェースである。
【００２７】
（３．画像形成装置のハードウェア構成）
図３は、画像形成装置のハードウェア構成を示すブロック図である。
画像形成装置２０は、制御部２１を備える。制御部２１は、ＣＰＵ、ＲＡＭ、ＲＯＭ及び専用のハードウェア回路等から構成され、画像形成装置２０の全体的な動作制御を司る。
【００２８】
制御部２１は、画像読取部２２、画像処理部２４、画像メモリ２５、画像形成部２６、操作部２７、通信制御部２９、記憶部２８等と接続されている。制御部２１は、接続されている上記各部の動作制御や、各部との間での信号又はデータの送受信を行う。
【００２９】
制御部２１は、ユーザから、操作部２７またはネッワーク接続されたＰＣ等を通じて入力されるジョブの実行指示に従って、スキャナ機能、印刷機能、コピー機能、およびファクシミリ送受信機能などの各機能についての動作制御を実行するために必要な機構の駆動及び処理を制御する。
【００３０】
画像読取部２２は、原稿から画像を読み取る。
【００３１】
画像処理部２４は、画像読取部２２で読み取られた画像の画像データを必要に応じて画像処理する。例えば、画像処理部２４は、画像読取部２２により読み取られた画像が画像形成された後の品質を向上させるために、シェーディング補正等の画像処理を行う。
【００３２】
画像メモリ２５は、画像読取部２２による読み取りで得られた原稿画像のデータを一時的に記憶したり、画像形成部２６での印刷対象となるデータを一時的に記憶したりする領域である。
【００３３】
画像形成部２６は、画像読取部２２で読み取られた画像データ等の画像形成を行う。
【００３４】
操作部２７は、画像形成装置２０が実行可能な各種動作及び処理についてユーザからの指示を受け付けるタッチパネル部および操作キー部を備える。タッチパネル部は、タッチパネルが設けられたＬＣＤ（Liquid Crystal Display）等の表示部２７ａを備えている。
【００３５】
通信制御部２９は、ネットワークＮに接続するためのインタフェースである。
【００３６】
記憶部２８は、画像読取部２２によって読み取られた原稿画像等を記憶する、ＨＤＤなどの大容量の記憶装置である。
【００３７】
（４．サーバ装置の機能的構成）
図４は、サーバ装置及び画像形成装置の機能的構成を示すブロック図である。
サーバ装置１０は、画像形成装置リスト供給部１０１と、テンプレートコード／文字データ取得部１０２と、パネル画像生成部１０３とを有する。
【００３８】
画像形成装置リスト供給部１０１は、操作部１５に対するサービスマンからの所定の操作を画像形成装置リスト要求として検出すると、記憶部１６に格納された画像形成装置リスト１６１を読み出し、表示部１２に表示する。
【００３９】
テンプレートコード／文字データ取得部１０２は、操作部１５に対するサービスマンからの所定の操作をパネル画像取得要求として検出すると、この操作に基づき、画像形成装置リスト１６１に含まれる１以上の画像形成装置２０から１つの画像形成装置２０を選択する。テンプレートコード／文字データ取得部１０２は、選択された１つの画像形成装置２０に、テンプレートコード／文字データ取得要求を送信する。テンプレートコード／文字データ取得部１０２は、画像形成装置２０からテンプレートコード及び文字データを受信する。パネル画像生成部１０２は、受信したテンプレートコード及び文字データをパネル画像生成部１０３に供給する。
【００４０】
パネル画像生成部１０３は、テンプレートコード／文字データ取得部１０２から取得したテンプレートコードを確認し、このテンプレートコードをキーとして記憶部１６のテンプレート画像データベース１６２を検索する。パネル画像生成部１０３は、このテンプレートコードに対応するテンプレート画像を、テンプレート画像データベース１６２から読み出す。パネル画像生成部１０３は、テンプレート画像データベース１６２から読み出したテンプレート画像と、テンプレートコード／文字データ取得部１０２から取得した文字データとを組み合わせて、パネル画像を生成する。生成されたパネル画像は、画像形成装置２０の表示部２７ａに表示されたパネル画像と同一である。パネル画像生成部１０３は、生成したパネル画像を、表示部１２に表示する。
【００４１】
（５．画像形成装置の機能的構成）
画像形成装置２０は、テンプレートコード／文字データ供給部２０１を有する。
【００４２】
テンプレートコード／文字データ供給部２０１は、サーバ装置１０からテンプレートコード／文字データ取得要求を受信する。要求を受けて、テンプレートコード／文字データ供給部２０１は、表示部２７ａに現在表示されているパネル画像に含まれるテンプレート画像に対応するテンプレートコードを、記憶部２８から読み出す。テンプレートコード／文字データ供給部２０１は、さらに、現在表示部２７ａに表示されているパネル画像に含まれる文字データを、記憶部２８から読み出す。テンプレートコード／文字データ供給部２０１は、読み出したテンプレートコード及び文字データを、サーバ装置１０に送信する。
【００４３】
（６．情報処理システムの動作）
図５は、情報処理システムの動作を示すシーケンス図である。図６は、サーバ装置の動作を示すフローチャートである。図７は、画像形成装置の動作を示すフローチャートである。
サーバ装置１０の画像形成装置リスト供給部１０１は、操作部１５に対するサービスマンからの所定の操作を画像形成装置リスト要求として検出すると（ステップＳ１０１）、記憶部１６に格納された画像形成装置リスト１６１を読み出す（ステップＳ１０２）。リスト供給部１０１は、画像形成装置リスト１６１を、表示部１２に表示する（ステップＳ１０３）。
【００４４】
サービスマンは、表示された画像形成装置リスト１６１を参照し、操作部１５を用いて１つの画像形成装置２０を選択する。テンプレートコード／文字データ取得部１０２は、操作部１５に対するサービスマンからの所定の操作をパネル画像取得要求として検出すると（ステップＳ１０４）、この操作に基づき、画像形成装置リスト１６１に含まれる１以上の画像形成装置２０から１つの画像形成装置２０を選択する。テンプレートコード／文字データ取得部１０２は、選択された１つの画像形成装置２０に、テンプレートコード／文字データ取得要求を送信する（ステップＳ１０５）。
【００４５】
画像形成装置２０のテンプレートコード／文字データ供給部２０１は、サーバ装置１０からテンプレートコード／文字データ取得要求を受信する（ステップＳ２０１）。要求を受けて、テンプレートコード／文字データ供給部２０１は、表示部２７ａに現在表示されているパネル画像に含まれるテンプレート画像に対応するテンプレートコードを、記憶部２８から読み出す（ステップＳ２０２）。テンプレートコード／文字データ供給部２０１は、さらに、現在表示部２７ａに表示されているパネル画像に含まれる文字データを、記憶部２８から読み出す（ステップＳ２０３）。テンプレートコード／文字データ供給部２０１は、読み出したテンプレートコード及び文字データを、サーバ装置１０に送信する（ステップＳ２０４）。
【００４６】
サーバ装置１０のテンプレートコード／文字データ取得部１０２は、画像形成装置２０からテンプレートコード及び文字データを受信する（ステップＳ１０６）。パネル画像生成部１０２は、受信したテンプレートコード及び文字データをパネル画像生成部１０３に供給する。
【００４７】
パネル画像生成部１０３は、テンプレートコード／文字データ取得部１０２から取得したテンプレートコードを確認し（ステップＳ１０７）、このテンプレートコードをキーとして記憶部１６のテンプレート画像データベース１６２を検索する（ステップＳ１０８）。パネル画像生成部１０３は、このテンプレートコードに対応するテンプレート画像を、テンプレート画像データベース１６２から読み出す（ステップＳ１０９）。パネル画像生成部１０３は、テンプレート画像データベース１６２から読み出したテンプレート画像と、テンプレートコード／文字データ取得部１０２から取得した文字データとを組み合わせて、パネル画像を生成する（ステップＳ１１０）。生成されたパネル画像は、画像形成装置２０の表示部２７ａに表示されたパネル画像と同一である。パネル画像生成部１０３は、生成したパネル画像を、表示部１２に表示する（ステップＳ１１１）。
【００４８】
（９．まとめ）
本実施形態によれば、画像形成装置２０は、サーバ装置１０にテンプレートコード及び文字データを送信する。サーバ装置１０は、受信したテンプレートコードに対応するテンプレート画像を大容量の記憶部１６に設定されたテンプレート画像データベース１６２から読み出し、読み出したテンプレート画像と受信した文字データとを組み合わせてパネル画像を生成し、パネル画像を表示部１２に表示する。
【００４９】
これにより、第１に、サーバ装置１０は、画像形成装置２０の表示部２７ａに表示されたパネル画像そのものを、表示部１２に表示する。このため、メッセージテンプレートに基づき生成されたメッセージを表示する方法に比べて、サービスマンは、画像形成装置２０の状況をより直感的・視覚的に把握することができる。
【００５０】
第２に、画像形成装置２０は、テンプレートコード及び文字データ（データサイズがより小さい）を送信する。このため、画像形成装置がパネル画像そのもの（データサイズがより大きい）を送信する方法に比べて、ネットワーク通信に掛かる負荷が飛躍的に減少する。とりわけ、エンドユーザの使用する画像形成装置２０の状況をサービスマンがリアルタイムに把握する必要のある保守管理業務においては、サーバ装置１０は、画像形成装置２０のパネル画像が変遷する度に、パネル画像を取得する必要がある。ところが、パネル画像そのものを送信する方法では、パネル画像が変遷する度に、データサイズの大きなパネル画像を送信する必要があり、ネットワーク通信に掛かる負荷が益々増加する。これに対して、本実施形態によれば、パネル画像が変遷する度に、画像形成装置２０は、テンプレートコード及び文字データを送信するだけでよい。このため、送信データサイズは、メッセージを送信する場合のデータサイズと同程度まで抑えられる。
【００５１】
第３に、テンプレート画像は、大容量の記憶部１６に設定されたテンプレート画像データベース１６２に記憶される。画像形成装置がサーバ装置にパネル画像そのものを送信する方法の場合、パネル画像（又はテンプレート画像）を画像形成装置自体に格納しておく必要がある。しかしながら、画像形成装置の記憶部の容量には限界がある。これに対して、本実施形態によれば、大容量の記憶部１６に設定されたテンプレート画像データベース１６２が、データサイズの大きいテンプレート画像を記憶するため、記憶容量の問題がなくなる。
【００５２】
第４に、サーバ装置１０は、テンプレート画像と文字データとを組み合わせてパネル画像を生成する。画像形成装置２０は、世界中の多種多様な言語環境で使用されうる。本実施形態によれば、サーバ装置１０は、画像形成装置２０が世界中のどの言語環境で使用されても、一律なテンプレート画像にその国の言語の文字データを埋め込めば、言語的に適切なパネル画像を生成することができる。これに対して、画像形成装置がパネル画像そのものを送信する方法の場合、多種多様な言語が記載されたパネル画像をそれぞれ画像形成装置自体に格納する必要があるため、画像形成装置に記憶されるデータの容量が益々増加するという問題がある。あるいは、出荷時に所定の言語のパネル画像を画像形成装置自体に格納する必要があるため、出荷時の作業工程が増えるという問題がある。
【００５３】
（１０．変形例）
ステップＳ１０９で、サーバ装置１０のパネル画像生成部１０２が、テンプレート画像をテンプレート画像データベース１６２から読み出すことができなかったとする。この場合、パネル画像生成部１０２は、テンプレート画像取得要求を画像形成装置２０に供給し、テンプレート画像取得要求に含まれるテンプレートコードに対応するテンプレート画像を画像形成装置２０から取得してもよい。
【００５４】
サーバ装置１０にパーソナルコンピュータ（図示せず）が接続され、このパーソナルコンピュータがサービスマンにより操作されてサーバ装置１０を制御してもよい。
【００５５】
テンプレート画像データベース１６２は、サーバ装置１０に接続された外付けの大容量の記憶装置（図示せず）に格納されてもよい。
【００５６】
（１１．その他）
本技術は以下のような構成もとることができる。
（１）サーバ装置により、
パネル画像を表示するよう構成された表示部を有する画像形成装置から、前記パネル画像に含まれるテンプレート画像に対応するテンプレートコードと、前記パネル画像に含まれる文字データとを取得し、
テンプレート画像を記憶するよう構成された記憶部から、前記テンプレートコードに対応する前記テンプレート画像を読み出し、
前記読み出したテンプレート画像と、前記画像形成装置から取得した前記文字データとを組み合わせて、前記パネル画像を生成する
情報処理方法。
（２）パネル画像を表示するよう構成された表示部を有する画像形成装置から、前記パネル画像に含まれるテンプレート画像に対応するテンプレートコードと、前記パネル画像に含まれる文字データとを取得するよう構成されたテンプレートコード／文字データ取得部と、
テンプレート画像を記憶するよう構成された記憶部から、前記テンプレートコードに対応する前記テンプレート画像を読み出し、
前記読み出したテンプレート画像と、前記画像形成装置から取得した前記文字データとを組み合わせて、前記パネル画像を生成する
よう構成されたパネル画像生成部
としてサーバ装置を機能させるプログラム。
（３）パネル画像を表示するよう構成された表示部を有する画像形成装置から、前記パネル画像に含まれるテンプレート画像に対応するテンプレートコードと、前記パネル画像に含まれる文字データとを取得するよう構成されたテンプレートコード／文字データ取得部と、
テンプレート画像を記憶するよう構成された記憶部から、前記テンプレートコードに対応する前記テンプレート画像を読み出し、
前記読み出したテンプレート画像と、前記画像形成装置から取得した前記文字データとを組み合わせて、前記パネル画像を生成する
よう構成されたパネル画像生成部
としてサーバ装置を機能させるプログラム
を格納した非一過性の記録媒体（non-transitory computer readable medium）。
（４）パネル画像を表示するよう構成された表示部を有する画像形成装置により、
前記パネル画像に含まれるテンプレート画像に対応するテンプレートコードと、前記パネル画像に含まれる文字データとを、サーバ装置に供給する
情報処理方法。
（５）表示部に表示されたパネル画像に含まれるテンプレート画像に対応するテンプレートコードと、前記パネル画像に含まれる文字データとを、サーバ装置に供給するよう構成されたテンプレートコード／文字データ供給部
として画像形成装置を機能させるプログラム。
（６）表示部に表示されたパネル画像に含まれるテンプレート画像に対応するテンプレートコードと、前記パネル画像に含まれる文字データとを、サーバ装置に供給するよう構成されたテンプレートコード／文字データ供給部
として画像形成装置を機能させるプログラム
を格納した非一過性の記録媒体。
（７）パネル画像を表示するよう構成された表示部を有する画像形成装置により、
前記パネル画像に含まれるテンプレート画像に対応するテンプレートコードと、前記パネル画像に含まれる文字データとを、サーバ装置に供給し、
サーバ装置により、
前記画像形成装置から、前記パネル画像に含まれるテンプレート画像に対応するテンプレートコードと、前記パネル画像に含まれる文字データとを取得し、
テンプレート画像を記憶するよう構成された記憶部から、前記テンプレートコードに対応する前記テンプレート画像を読み出し、
前記読み出したテンプレート画像と、前記画像形成装置から取得した前記文字データとを組み合わせて、前記パネル画像を生成する
情報処理方法。
【符号の説明】
【００５７】
１…情報処理システム
１０…サーバ装置
２０…画像形成装置
１０１…画像形成装置リスト供給部
１０２…テンプレートコード／文字データ取得部
１０３…パネル画像生成部
１６１…画像形成装置リスト
１６２…テンプレート画像データベース
２０１…テンプレートコード／文字データ供給部
【図１】
0006304114.tif 000002
【図２】
0006304114.tif 000003
【図３】
0006304114.tif 000004
【図４】
0006304114.tif 000005
【図５】
0006304114.tif 000006
【図６】
0006304114.tif 000007
【図７】
0006304114.tif 000008